(57)【要約】本発明は、衣服において電力を誘導的に伝達するよう適応されたボタン（１２）及びボタン穴（６）に関する。衣服は、第１のコイルを有するボタン穴と、第２のコイルを有するボタンを有する。ボタン穴内に配置されたボタンは、第１のコイルと第２のコイル間で電力が伝達されることを可能にする。１つの例では、ボタンは、衣服（１０）に取り付けられ、ボタン穴は、第２の衣服（４）に取り付けられる。別の例では、ボタンは、電源に含まれ、その電源は、ボタン穴内にボタンを着脱可能に配置することによって衣服に着脱可能に取り付けられる。
2007515563.tif 000002
【特許請求の範囲】
【請求項１】
第１のコイルを有するボタン穴と、
第２のコイルを有するボタンと、
を有し、
前記ボタン穴内に配置された前記ボタンは、前記第１のコイルと前記第２のコイル間で電力が伝達されることを可能にする衣服。
【請求項２】
前記ボタン穴から延在する導電路を更に有する請求項１記載の衣服。
【請求項３】
前記衣服に着脱可能に取り付けられる電気装置を更に有する請求項２記載の衣服。
【請求項４】
前記電気装置は前記導電路に接続される請求項３記載の衣服。
【請求項５】
前記導電路は、前記衣服の織物に編み込まれた導電繊維を有する請求項２記載の衣服。
【請求項６】
前記第１のコイルは、前記衣服の織物に編み込まれた導電繊維を有する請求項１記載の衣服。
【請求項７】
前記ボタンから延在する導電路を更に有する請求項１記載の衣服。
【請求項８】
前記衣服に着脱可能に取り付けられる電源を更に有する請求項６記載の衣服。
【請求項９】
前記電源は、前記導電路に接続される請求項７記載の衣服。
【請求項１０】
前記第２のコイルは、前記ボタンと一体にされた導電繊維又はワイヤを有する請求項１記載の衣服。
【請求項１１】
前記ボタンは、電源に含まれ、
前記電源は、前記ボタンを前記ボタン穴内に配置することによって前記衣服に着脱可能に取り付けられる請求項１記載の衣服。
【請求項１２】
前記ボタンは、前記衣服に取り付けられ、
前記ボタン穴は、第２の衣服に取り付けられる請求項１記載の衣服。
【請求項１３】
衣服において電力を伝達する方法であって、
第１のコイルを有するボタン穴を設ける段階と、
第２のコイルを有するボタンを設ける段階と、
前記第１のコイルと前記第２のコイル間で電力を伝達するよう前記ボタン穴内に前記ボタンを配置する段階と、
を有する方法。
【請求項１４】
第１の衣服と第２の衣服との間で電力を伝達する方法であって、
前記第１の衣服に第１のコイルを有するボタン穴を設ける段階と、
前記第２の衣服に第２のコイルを有するボタンを設ける段階と、
前記第１のコイルと前記第２のコイル間で電力を伝達するよう前記ボタン穴内に前記ボタンを配置する段階と、
を有する方法。
【発明の詳細な説明】
【発明の詳細な説明】
【０００１】
本発明は一般的に、ウェラブル電子機器に係り、特に、ウェアラブル電子適用に使用される衣服において電力を誘導的に伝達するよう適応されるボタンとボタン穴に係る。
【０００２】
ウェアラブル電子機器は、織物及び衣服との電子アイテムの一体化が関連する。これらの例は、パーソナルステレオ、心拍モニタ、バイオフィードバックセンサ、電話ヘッドセット、データライン接続、マイクロプロセッサ、コンピュータ化されたコンポーネント等である。上述した例の多くにおいて、迅速且つ確実な電気接続を有することが望ましい。このことは、電源をファブリック電気回路に接続する場合に特に言えることである。
【０００３】
電源をファブリック回路に接続する際、金属接点といった物理的な接続がしばしば使用される。ウェアラブル電子適用における金属接点の使用は、問題を呈しうる。まず、これらの金属接点は、環境条件によって又は洗濯された時に酸化される又は何らかの方法で影響を受けうる。そのような損傷を阻止するために、金属接点は密封されなければならない。しかし、このような電気接点の密封はしばしば困難且つ高価である。
【０００４】
本発明は、衣服において電力を誘導的に伝達するよう適応されるボタン及びボタン穴に関する。衣服は、第１のコイルを有するボタン穴と、第２のコイルを有するボタンを有する。ボタン穴内に配置されたボタンは、第１のコイルと第２のコイル間で電力が伝達されることを可能にする。１つの例では、ボタンは、衣服に取り付けられ、ボタン穴は、第２の衣服に取り付けられる。別の例では、ボタンは電源に含まれ、その電源は、ボタン穴内にボタンを配置することによって衣服に着脱可能に取り付けられる。
【０００５】
同様の参照番号は、対応する部分を表す図面を参照する。
【０００６】
本発明の誘導性ボタン及びボタン穴を含む衣服の一例を図１に示す。この例では、誘導性ボタン及びボタン穴は、内側衣服１０と、外側衣服４との間で電力を伝達するよう使用される。図面から分かるように、誘導性ボタン穴６は、外側衣服４上に含まれる。導電路８も、外側衣服４上に含まれる。導電路８は、誘導性ボタン穴６を、パーソナルステレオ、ＭＰ３プレイヤー、照明装置、ラジオ局チューナといった電気装置（図示せず）に電気接続する。従って、これは、導電路８を介して誘導性ボタン穴６から電気装置に電力が供給されることを可能にする。この電気装置は、外側衣服４に着脱可能に取り付けられることも好適である。
【０００７】
更に図面から分かるように、誘導性ボタン１２が、内側衣服１０上に含まれる。電源１６が、内側衣服１０に着脱可能に取り付けられる。１つの例では、電源１６は、使い捨て又は充電可能な電池を有するプラスチックモールド成形された筐体である。動作時に、電源１６は、電気装置を動かすよう電力を供給する。もう１つの導電路１４が内側衣服１０上に含まれ、それにより、誘導性ボタン１２を電源１６に電気接続する。従って、これは、導電路１４を介して電源１６から誘導性ボタン１２に電力が伝達されることを可能にする。
【０００８】
動作時に、誘導性ボタン１２は、誘導性ボタン穴６の中に配置され、それにより、内側衣服１０から外側衣服４に電力を伝達する。従って、電力は、導電路１４を介し電源１６から誘導性ボタン１２に伝達される。誘導性ボタン１２に供給された電力は、誘導性ボタン穴１６に誘導伝達される。更に、誘導性ボタン穴６に伝達された電力は、導電路８を介して電気装置に供給される。
【０００９】
誘導性ボタン穴の平面図を図２に示す。図面から分かるように、誘導性ボタン穴６は、外側衣服４の織物と一体にされるコイル１８を含む。コイル１８は、外側衣服４の織物に編み込まれた導電繊維から形成されることが好適である。好適な導電繊維の例には、ステンレススチール又は銀メッキされた合成繊維が挙げられる。コイル１８からは、導電路８が延在する。上述したように、導電路８は、誘導性ボタン穴６を、もう一方の端にある電気装置に電気接続する。導電路８も、外側衣服４の織物に編み込まれた導電繊維から形成されることが好適である。
【００１０】
誘導性ボタンの断面図を図３に示す。図面から分かるように、誘導性ボタン１２は、ボタン１２の材料と一体にされるコイル２０を有する。コイル２０は、ボタン１２を成形するのに使用された材料内に含まれる細ワイヤ又は導電繊維によって具現化されうる。図面から更に分かるように、誘導性ボタン１２は、導電路１４の１つの端において外側衣服１０に取り付けられる。上述したように、導電路１４は、誘導性ボタン１２を電源に電気接続する。導電路１４も、内側衣服の織物に編み込まれた導電繊維から形成されることが好適である。
【００１１】
誘導性ボタン及びボタン穴の断面図を図４に示す。図面から分かるように、誘導性ボタン１２は、誘導性ボタン穴６内に配置される。従って、ボタン１２のコイル２０の両端に印加された任意の電圧は、ボタン穴６のコイル１８内に誘導される。従って、電力は、誘導性ボタン１２とボタン穴６の間を誘導伝達される。
【００１２】
更に、用途に依存して、コイル１８及び２９間に誘導される電圧は、各コイル１８、２０における巻回の数に依存して、増大されるか、逓減されるか、又は同じままにされる。例えば、電圧は同じに維持されるべき場合、各コイル１８、２０は、同じ巻回の数を有することになる。或いは、電圧が増大されるべき場合、ボタン穴６におけるコイル１８がより多くの巻回を有することになる。
【００１３】
図１の例では、誘導性ボタン穴６は、外側衣服４上に含まれ、誘導性ボタン１２は、内側衣服１０上に含まれる。しかし、本発明は、他の構成も考慮することに留意されたい。例えば、誘導性ボタン穴が、内側衣服上に含まれ、誘導性ボタンが、外側衣服上に含まれてもよい。更に、誘導性ボタン穴及びボタンは、単一の衣服上に含まれてもよい。
【００１４】
本発明の誘導性ボタン及びボタン穴を含む衣服のもう１つの例を図５に示す。この例では、電力は、単一の衣服２２内で伝達される。更に、誘導性ボタン３０は、電源２９内に含まれる。従って、電源２９は、図示するように誘導性ボタン３０を誘導性ボタン穴２８内に配置することによって衣服２２に着脱可能に取り付けられることが可能である。
【００１５】
図面から分かるように、誘導性ボタン穴２８は、衣服２２上に含まれる。導電路２４も、衣服２２上に含まれる。導電路２４は、誘導性ボタン穴２８を、衣服２２に取り付けられる電気装置２６に電気接続する。従って、これは、導電路２４を介して誘導性ボタン穴６から電気装置２６に電力が供給されることを可能にする。電気装置２６は、パーソナルステレオ、ＭＰ３プレイヤー、照明装置、ラジオ局チューナであり得る。更に、電気装置２６は、衣服２２に着脱可能に取り付けられることが好適である。
【００１６】
動作時に、誘導性ボタン３０は、誘導性ボタン穴２８内に配置され、それにより、電源２９から衣服２２に電力を伝達する。従って、電源２９からの電力は、誘導性ボタン３０に供給される。誘導性ボタン３０に供給された電力は、誘導性ボタン穴２８に誘導伝達される。更に、誘導性ボタン穴３０に伝達された電力は、導電路２４を介して電気装置２６に供給される。
【００１７】
誘導性ボタン穴の平面図を図６に示す。図面から分かるように、誘導性ボタン穴２８は、衣服２２の織物に一体にされるコイル３２を含む。コイル３２は、衣服２２の織物に編み込みされる導電繊維から形成されることが好適である。コイル３２からは導電路２４が延在する。上述したように、導電路２４は、誘導性ボタン穴２８を電気装置に電気接続する。導電路２４も、衣服２２の織物に編み込みされた導電繊維から形成されることが好適である。
【００１８】
誘導線ボタンの断面図を図７に示す。図面から分かるように、誘導性ボタン３０は、電源２９内に含まれる。従って、誘導性ボタン３０は、電源２９と一体に成形されることが好適である。電源２９は、使い捨て又は充電可能な電池を保持するよう構成されうる。誘電性ボタン３０は、ボタン３０の材料に一体にされるコイル３４を含む。コイル３４は、ボタン３０を成形するために使用した材料内に含まれる細ワイヤ又は導電繊維によって具現化されうる。更に、コイル３４は、電気接点及び導線によって電源２９の電池に電気接続される。
【００１９】
誘導性ボタン及びボタン穴の断面図を図８に示す。図面から分かるように、誘導性ボタン３０は、誘導性ボタン穴２８内に配置される。従って、ボタン３０のコイル３４の両端に印加される任意の電圧は、ボタン穴２８のコイル３２内に誘導される。従って、電力は、誘導性ボタン３０とボタン穴２８の間で誘導伝達される。更に、用途に依存して、コイル３４及び３２間に誘導される電圧は、各コイル３４、３２の巻回の数に依存して、増大される、逓減される、又は同じに維持されうる。
【００２０】
本発明の説明は、例示及び説明のために提示した。この説明は、本発明を開示した厳密な構造又は構成に限定することを意図しない。多くの修正及び変形が上述の教示内容から可能である。従って、本発明の範囲は、詳細な説明によって限定されるものではない。
【図面の簡単な説明】
【００２１】
【図１】本発明の誘導性ボタン及びボタン穴を有する衣服の一例を示す図である。
【図２】図１の例の誘導性ボタン穴を示す平面図である。
【図３】図１の例の誘導性ボタンを示す断面図である。
【図４】図１の例の誘導性ボタン及びボタン穴を示す断面図である。
【図５】本発明の誘導性ボタン及びボタン穴を有する衣服の別の例を示す図である。
【図６】図５の例の誘導性ボタン穴を示す平面図である。
【図７】図５の例の誘導性ボタンを示す断面図である。
【図８】図５の例の誘導性ボタン及びボタン穴を示す断面図である。
【図１】
2007515563.tif 000003
【図２】
2007515563.tif 000004
【図３】
2007515563.tif 000005
【図４】
2007515563.tif 000006
【図５】
2007515563.tif 000007
【図６】
2007515563.tif 000008
【図７】
2007515563.tif 000009
【図８】
2007515563.tif 000010
【国際調査報告】
2007515563.tif 000011
2007515563.tif 000012
2007515563.tif 000013